【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
増感色素の光励起により生じる光電流を用いた被検物質の特異的検出に用いられるセンサチップであって、
作用電極と、
前記作用電極が所定の位置に載置されるための窪み部および／または突起部を有するセンサチップケースと
を備えてなり、
被検物質の特異的検出が、電解質含有シートを前記作用電極上に載置するか、または電解質含有シートを前記作用電極と前記センサチップケースとの間に挟持させて行われる、センサチップ。
【請求項２】
前記作用電極上に、または前記作用電極と前記センサチップケースとの間に、電解質含有シートをさらに備えた、請求項１に記載のセンサチップ。
【請求項３】
前記センサチップケースが、前記電解質含有シートが所定の位置に載置されるための第二の窪み部および／または突起部をさらに有してなる、請求項２に記載のセンサチップ。
【請求項４】
前記電解質含有シートの前記作用電極と反対側に、対電極をさらに備えてなる、請求項２〜４のいずれか一項に記載のセンサチップ。
【請求項５】
前記センサチップケースが、前記対電極が所定の位置に載置されるための第三の窪み部および／または突起部をさらに有してなる、請求項４に記載のセンサチップ。
【請求項６】
前記センサチップケースが、ネジ、バネ、ゴム、および磁石からなる群から選択される少なくとも一種の固定手段をさらに備えてなり、該固定手段を介して、前記作用電極が前記センサチップケースに着脱可能に固定されている、請求項１〜５のいずれか一項に記載のセンサチップ。
【請求項７】
前記センサチップケースが、前記作用電極の表面に光励起のための光を通すための開口部または透光部をさらに備えてなり、前記センサチップケースの、少なくとも前記開口部および透光部以外の前記光が当たる部分が遮光性を有する、請求項１〜６のいずれか一項に記載のセンサチップ。
【請求項８】
前記作用電極が複数の検出スポットを有しており、前記センサチップケースの、前記複数の検出スポットに対応する各位置に前記開口部または透光部が形成されてなる、請求項７に記載のセンサチップ。
【請求項９】
前記センサチップケースが、前記作用電極が載置される領域の少なくとも一部に開口部を有してなり、前記被検物質の特異的検出が、該開口部を介して対電極を前記電解質含有シートに接触させることにより行われる、請求項１〜６のいずれか一項に記載のセンサチップ。
【請求項１０】
前記光電流を用いた被検物質の特異的検出が、
被検物質が直接または間接的に特異的に結合したプローブ物質を表面に備え、かつ該結合により増感色素が固定されてなる作用電極と、対電極とを前記電解質含有シートに接触させ、
前記作用電極に光を照射して前記増感色素を光励起させ、該光励起された増感色素から前記作用電極への電子移動に起因して前記作用電極と前記対電極との間に流れる光電流を検出すること
を含んでなるステップにより行われる、請求項１〜９のいずれか一項に記載のセンサチップ。
【請求項１１】
増感色素の光励起により生じる光電流を用いた被検物質の特異的検出に用いられる測定装置であって、
請求項１および６〜１０のいずれか一項に記載されるセンサチップと、
前記作用電極上に載置して、または前記作用電極と前記センサチップケースとの間に挟持させて設けられる、電解質含有シートと、
前記電解質含有シートの前記作用電極と反対側に設けられる対電極と、
前記作用電極に光を照射する光源と、
前記光源をXY方向に移動させるXY移動機構と、
前記作用電極と前記対電極との間を流れる電流を測定する電流計と、
前記光源、前記XY移動機構、および電流計を制御し、前記電流計からの電流信号を受信し、該電気信号に基づいて被検物質の存在、型、および濃度の少なくとも一種を決定する制御演算手段と
を備えた装置。
【請求項１２】
増感色素の光励起により生じる光電流を用いた被検物質の特異的検出に用いられる測定装置であって、
請求項２、３、および６〜１０のいずれか一項に記載されるセンサチップと、
前記電解質含有シートの前記作用電極と反対側に設けられる対電極と、
前記作用電極に光を照射する光源と、
前記光源をXY方向に移動させるXY移動機構と、
前記作用電極と前記対電極との間を流れる電流を測定する電流計と、
前記光源、前記XY移動機構、および電流計を制御し、前記電流計からの電流信号を受信し、該電気信号に基づいて被検物質の存在、型、および濃度の少なくとも一種を決定する制御演算手段と
を備えた装置。
【請求項１３】
増感色素の光励起により生じる光電流を用いた被検物質の特異的検出に用いられる測定装置であって、
請求項４〜１０のいずれか一項に記載されるセンサチップと、
前記作用電極に光を照射する光源と、
前記光源をXY方向に移動させるXY移動機構と、
前記作用電極と前記対電極との間を流れる電流を測定する電流計と、
前記光源、前記XY移動機構、および電流計を制御し、前記電流計からの電流信号を受信し、該電気信号に基づいて被検物質の存在、型、および濃度の少なくとも一種を決定する制御演算手段と
を備えた装置。
【請求項１４】
請求項１〜１０のいずれか一項に記載のセンサチップが着脱自在に装着される凹状のセンサチップ受け部をさらに備えてなる、請求項１１〜１３のいずれか一項に記載の装置。
【請求項１５】
前記センサチップ受け部が、前記センサチップを所定の位置に固定するための位置決め機構を備えてなる、請求項１４に記載の装置。
【請求項１６】
前記位置決め機構が、前記センサチップ受け部に形成されたピンまたは孔と、前記センサチップ本体に形成された、前記ピンと係合可能な孔または前記孔と係合可能なピンとから構成される、請求項１５に記載の装置。
【請求項１７】
前記センサチップ受け部が、
前記作用電極を前記所定の位置に向かって誘導可能に形成されるレール状の誘導溝と、  前記誘導溝と係合する係合部と、前記作用電極の縁に当接して前記センサチップを前記所定の位置に向かって押すための突起部とを有する誘導板と
を備えた誘導機構をさらに備えてなる、請求項１４〜１６のいずれか一項に記載の装置。
【請求項１８】
前記センサチップ受け部が、ネジ、バネ、ゴム、および磁石からなる群から選択される少なくとも一種の固定手段をさらに備えてなり、該固定手段を介して、前記センサチップが前記センサチップ受け部に着脱可能に固定されている、請求項１４〜１７のいずれか一項に記載の装置。
【請求項１９】
前記装置が、前記センサチップ受け部に対して開閉可能に設けられる蓋部と、該蓋部の前記作用電極と接触可能な位置に設けられる凸状の押さえ部材とを有し、前記光源が前記押さえ部材の上方に設けられており、
前記押さえ部材が、前記光源からの光を遮断する遮光性の部材で構成されており、なおかつ前記作用電極の表面に光励起のための光を通すための開口部または透光部を備えてなる、請求項１４〜１８のいずれか一項に記載の装置。
【請求項２０】
前記作用電極が複数の検出スポットを有しており、複数の検出スポットに対応する各位置に前記開口部または透光部が形成されてなる、請求項１９に記載の装置。
【請求項２１】
前記センサチップケースが、前記作用電極が載置される領域の少なくとも一部に開口部を有してなり、前記センサチップ受け部が前記開口部に挿入可能な凸部を有し、該凸部上に前記対電極が設けられており、前記センサチップが前記センサチップ受け部に装着されると、前記凸部が該開口部に挿入されることにより前記対電極が前記電解質含有シートに接触する、請求項１４〜２０のいずれか一項に記載の装置。